【事件の表示】
　特願２００３−５０７３５８「ペーパーマシン等の乾燥部内のエアインピンジメントシステム」拒絶査定不服審判事件〔平成１５年　１月　３日国際公開、ＷＯ０３／００９８８、平成１６年１０月　７日国内公表、特表２００４−５３０８０９〕について、次のとおり審決する。
【結　論】
　本件審判の請求は、成り立たない。
【理　由】
１．手続の経緯
　本願は２００２年６月２６日〔パリ条約による優先権主張外国庁受理　２００１年６月２６日　フィンランド（ＦＩ）〕を国際出願日とする出願であって、平成１８年１２月１４日付けの拒絶理由通知書に記載した理由１によって、平成１９年４月１０日付けで拒絶査定がなされ、これに対し、平成１９年７月１３日に拒絶査定に対する審判請求がなされ、その後、平成２２年７月９日付けで審尋を発し、これに対し、平成２２年１０月１３日に回答書の提出がなされたものである。
　
２．本願発明
　本願請求項１〜１２に係る発明は、特許法第１８４条の８第１項の規定により提出された平成１５年９月１２日付けの補正書の翻訳文及び平成１９年３月１９日付けの手続補正書により補正された明細書及び図面の記載からみて、その特許請求の範囲の請求項１〜１２に記載された事項により特定されるとおりのものであり、その請求項１に係る発明は、次のとおりのものである。
「ペーパーマシン若しくはその類の乾燥部におけるエアインピンジメントロールのジャケット部の外側に配置され、該エアインピンジメントロールまわりを走行するウェブを加熱及び乾燥するためのエアインピンジメントシステムであって、該エアインピンジメントシステムは、紙ウェブ上にエアを方向付ける制御手段を含む閉じたフードを含み、エアは、該フードから、少なくとも１つのファンによる吹き付けによって吹き付けノズルに方向付けられ、循環エアプロセスとして再度該フードに戻され、また、フードは、エアを加熱するための少なくとも１つの加熱装置を含む、エアインピンジメントシステムにおいて、エアインピンジメントロール上のエアインピンジメント領域は、エアインピンジメントシステムの作用が、エアインピンジメントロールの後尾側で先頭側よりも大きく付加され、且つ、エアインピンジメントロールの下側の半分の領域で上側の半分の領域よりも大きく付加されるように、エアインピンジメントロールの下側且つ後尾側で約１５０°の範囲で設定されることを特徴とする、エアインピンジメントシステム。」
　
３．原査定の拒絶の理由
　原査定の拒絶の理由は、本願請求項１に係る発明（以下、「本願発明」という。）は、その出願前に頒布された引用文献１〜３の刊行物に記載された発明に基づいて、当業者が容易に発明をすることができたものであるから、特許法第２９条第２項の規定により特許を受けることができない、という理由を含むものである。
　
４．引用文献及びその記載事項
（１）引用文献１
　原査定の拒絶の理由に「引用文献１」として引用された、本願優先権主張日前に頒布された刊行物である「特開平１−３２１９９２号公報」には、次の記載がある。
　
摘記１ａ：請求項１８（第３頁左上欄第４行〜右上欄第１行）
「（１８）少なくとも二つの乾燥グループを有し、
ａ）乾燥グループの一つでは加熱可能なローラー（６１−６４）が下側の列に誘導ローラー（７１−７４）が上側の列に配設されており、
ｂ）隣接する乾燥グループでは加熱可能なローラー（６５−６７）が上側の列に、誘導ローラー（７５−７７）が下側の列に配設されている
という特徴と有している、特許請求の範囲（８）乃至（１０）の何れかに記載の装置において、
ｃ）上側の列と下側の列のローラー軸の間の垂直方向の間隔（Ｈ１又はＨ２）が、両方の乾燥グループで少なくともほぼ等しく、
ｄ）少なくとも下側にある誘導ローラーに配設されている吹き出しボックス（９０）は、該誘導ローラーの周囲のほぼ四分の一のみを覆い、且つ吹き出しボックスを誘導ローラーから遠ざける装置を備えていることを特徴とする装置。」
　
摘記１ｂ：第５頁右上欄第１行〜右下欄第１８行
「吹き出し方向の厳密な選択は素材ウエブの走行速度と吹き出し開口を通る乾燥空気流の流速に左右される。個々の乾燥空気噴流は素材ウエブに突き当たった…
　上記のように、（ウエブの走行方向に見て）各接触ゾーンの後で、エアナイフ状の乾燥空気噴流と蒸発ゾーンとが数回互い違いになっていることにより、…極めて強い素材ウエブからの蒸発が起こり、…比較的僅かに熱せられた乾燥空気（好適な温度範囲は６０〜１３０℃）を用いることによって支援される。…
　更に、…素材ウエブに供給される乾燥空気流を素材ウエブの幅に対して個別に制御可能な分流に分けることにより、横断面の乾燥状態を従来よりも良好に制御することができる。…
　原則として本発明は、素材ウエブが…走行するあらゆる乾燥システムに適用可能である。ここで、上側にあるローラーも下側にあるローラーも加熱可能な乾燥シリンダーとして構成されていてもよい。…
　走行効率を高めるために、ローラーから次のローラーへの素材ウエブ（及び支持ベルト）の自由な走行区間を可能な限り短く保つようにしている。更に、…素材ウエブと直接接触する加熱可能な乾燥シリンダーを上側の列に、誘導ローラーを下側の列に配設するようにしている。これによってウエブの途切れが起きた場合、くず紙は問題なく下方へ出て行くことができる。」
　
摘記１ｃ：第７頁左下欄第１３行〜第８頁左上欄第１０行
「第二の乾燥グループには、乾燥空気吹き出しゾーンを形成するため、類似の吹き出しノズル５０が備えられている。…
　第２図によれば、四つの吹き出しノズル５０を含んでいる各吹き出しノズルグループは、吹き出しノズル間にある蒸発空間５１及び供給導管５２、蒸気排出導管５３及び機械幅の排気室５８と共に、一つの吹き出しボックスに統合され得る。…
　この種の吹き出しボックスは、特に可動的に軸受けされていて紙ウエブが途切れた場合に即座に上方へ遠ざけることができるようになっている。第一の乾燥グループではこの種の予備処置を講ずる必要はないが、その理由は、吹き出しゾーン４０及び蒸発空間４１がほぼ垂直なウエブ走行路に配設されているからである。ここでは紙ウエブの途切れが起こると、くず紙は問題なく下方へ出て行くことができる。」
　
摘記１ｄ：第８頁左上欄第１５行〜左下欄第８行
「第３図はこれとは異なる配置を示しており、ここでは、Ｈ１又はＨ２を付した前述の垂直方向の間隔が両方の乾燥グループにおいてほぼ等しい。両乾燥グループの一方として四つの下側にある加熱可能なローラーとしての乾燥シリンダー６１−６４と四つの上側にある吸い込み誘導ローラー７１−７４が図示されている。乾燥シリンダーと吸い込み誘導ローラーの回りを走行するエンドレスの支持ベルトには７０が付されている。乾燥されるべき紙ウエブは吸い込み誘導ローラー７４の後で次の乾燥グループの乾燥すき網８０に渡される。この乾燥グループについては、三つの上側にある加熱可能なローラーとしての乾燥シリンダー６５，６６及び６７と、三つの下側にある吸い込み誘導ローラー７５，７６及び７７と、二つの更に別の誘導ローラー７９とが示されている。若干の吹き出しボックス９０が概略的に示されているが、これらの吹き出しボックスは第２図に示された吹き出しボックス６０と基本的には全く同様に構成されている。第２図と異なり、吹き出しボックス９０は何れも、当該吹き出しボックスに属する吸い込み誘導ローラーを、その周囲のおよそ四分の一だけしかも特に支持ベルト７０又は８０の巻き付いたゾーンの第二ハーフにおいて覆っている。（「第二ハーフ」という概念はすき網の走行方向に関連せしめられている）。吹き出しボックス９０は何れも枢軸９１に支持されていて、上側にある吹き出しボックスは上の方へ、下側にある吹き出しボックスは下の方へ（第３図に一点鎖線でしめされているように）旋回させることができるようになっている。図示されていない制御手段によって、紙ウエブの途切れが起きた場合に吹き出しボックス９０が吸い込み誘導ローラから自動的に遠ざけられるようにすることも可能である。」
　
摘記１ｅ：第８頁右下欄第１〜５行
「本発明によれば、素材ウエブの乾燥効率を著しく高めることができ、従ってこの乾燥装置を抄紙機に適用すれば極めて高速の運転が可能となり、比較的廉価に製品を供給することができる。」
　
摘記１ｆ：第１０頁第２図
　
　
摘記１ｇ：第１０頁第３図
　
　
（２）引用文献２
　原査定の拒絶の理由に「引用文献２」として引用された、本願優先権主張日前に頒布された刊行物である「特表２００１−５０４１７５号公報」には、次の記載がある。
　
摘記２ａ：第１８頁第４〜２１行
「フード３５の上面は、損紙の除去を改善するために、なめらかに下方に向かって傾斜した形に形成される。…モジュールＭのフード３５のさらに詳細な構造と、フードを吹き抜ける乾燥用ガスの循環装置は、本出願人により本発明と同日に提出するフィンランド特許出願第９７１７１３号に、特に、その第３図および関連する明細書の部分に詳細に説明する。それをここでは参照する。第１Ｃ図は、…本発明による乾燥部のシングルワイヤドローの最後のグループＲ８を示す。…乾燥すべき紙ウェブＷは、…第１の逆転サクションロール６１上へ運ばれる。」
　
摘記２ｂ：第１９頁第２〜１３行
「第１Ｃ図…ウェブＷの上面からも、すなわち乾燥用ワイヤ６２からもウェブＷを乾燥する。このために通風フード６６をシリンダ６０Ａの上に設ける。そのフードの中へ、充分に高温で乾燥した乾燥用空気ガスを、吸気管６７を介して送る。…これらの乾燥用気体は、シリンダ６０Ａの扇形部ｄ内で乾燥用ワイヤ６２に吹き付ける。この扇形部は、ｄ≒１８０°、もしくはさらに大きいことが望ましい。このようにして、ワイヤ６２とウェブＷの上面とを介し水の蒸発が促進される。」
　
摘記２ｃ：第２５頁第１Ｃ図
　
　
（３）引用文献３
　原査定の拒絶の理由に「引用文献３」として引用された、本願優先権主張日前に頒布された刊行物である「国際公開第９９／５１８１３号」には、和訳にして次の記載がある。
　
摘記３ａ：第２頁第１３〜１７行
「乾燥空気は滑らかな加熱空気噴流として、乾燥すべき紙ウェブに向けて吹き出しされる。統合された空気循環を提供するインピンジメント乾燥システムでは、紙ウェブへの空気吹き出しの大部分は、フード内に設置された加熱手段によって加熱されるために、そし再度ウェブに向けて吹き出されるために、フードへの循環空気として返還される。」
　
摘記３ｂ：第１２頁第１７〜２２行
「本発明に従うフード（複数形）は、一般的に１８０°以上、典型的に約２００〜２６０度の範囲でシリンダーを取り囲む。各フード（単数形）は、それぞれシリンダー側面の中央部分の９０°以上、典型的に約１００°〜１３０°の範囲で取り囲み、ここで、フード１４及び１６の間には、シリンダー上面の開口部２２と、シリンダー下面の開口部２４とが残される。フード（複数形）の間のシリンダー上面に残される開口部はシリンダーの約５０〜８０度の角度をしめる。」
　
摘記３ｃ：第１３頁第１３〜３０行
「フード１６の最上端部分１６’…
　フード（複数形）の上部表面の大部分は、水平面に対して典型的には３０°と９０°の間の角度を有し、裁断紙が落ち去るのを確実にする。…
　空気は、送風機５４によって、フードによって規定される空間５２から、加熱器５６、均質化チャンバー５８及び制御鎧戸６０、６０’を経て、中央ブロック５０、５０’に供給され、ブロック５０は第１図に示される。」
　
摘記３ｄ：第１図
　
　
５．引用文献１に記載された発明
　摘記１ｅの「素材ウエブの乾燥効率を著しく高め…乾燥装置を抄紙機に適用」との記載、
　摘記１ａの「ｂ）隣接する乾燥グループでは加熱可能なローラー（６５−６７）が上側の列に、誘導ローラー（７５−７７）が下側の列に配設されている」との記載、
　摘記１ｂの「比較的僅かに熱せられた乾燥空気（好適な温度範囲は６０〜１３０℃）を用いる…本発明は、素材ウエブが…走行するあらゆる乾燥システムに適用可能で…上側にあるローラーも下側にあるローラーも加熱可能な乾燥シリンダーとして構成され…ウエブの途切れが起きた場合、くず紙は問題なく下方へ出て行くことができる」との記載、
　摘記１ｃの「第二の乾燥グループには、乾燥空気吹き出しゾーンを形成するため、類似の吹き出しノズル５０が備えられている。…第２図によれば、四つの吹き出しノズル５０を含んでいる各吹き出しノズルグループは、吹き出しノズル間にある蒸発空間５１及び供給導管５２、蒸気排出導管５３及び機械幅の排気室５８と共に、一つの吹き出しボックスに統合され得る。…この種の吹き出しボックスは…紙ウエブが途切れた場合に即座に上方へ遠ざけることができ…紙ウエブの途切れが起こると、くず紙は問題なく下方へ出て行くことができる。」との記載、
　摘記１ｄの「第３図…では、…Ｈ１又はＨ２を付した…両方の乾燥グループにおいて…乾燥されるべき紙ウエブは吸い込み誘導ローラー７４の後で次の乾燥グループの乾燥すき網８０に渡される。この乾燥グループについては、三つの上側にある加熱可能なローラーとしての乾燥シリンダー６５，６６及び６７と、三つの下側にある吸い込み誘導ローラー７５，７６及び７７と、二つの更に別の誘導ローラー７９とが示されている。若干の吹き出しボックス９０が概略的に示されているが、これらの吹き出しボックスは第２図に示された吹き出しボックス６０と基本的には全く同様に構成されている。第２図と異なり、吹き出しボックス９０は何れも、当該吹き出しボックスに属する吸い込み誘導ローラーを、その周囲のおよそ四分の一だけ…覆っている。…吹き出しボックス９０は何れも枢軸９１に支持されていて、…下側にある吹き出しボックスは下の方へ（第３図に一点鎖線でしめされているように）旋回させることができるようになっている。…紙ウエブの途切れが起きた場合に吹き出しボックス９０が吸い込み誘導ローラから自動的に遠ざけられるようにすることも可能」との記載、並びに
　摘記１ｆ〜１ｇの第２図及び第３図の記載からみて、引用文献１には、
（い）
抄紙機に適用される乾燥装置
（ろ）
の乾燥グループ
（は）
の吸い込み誘導ローラー７６
（に）
の下側後方に配置され
（ほ）
該誘導ローラー７６
（へ）
を走行する紙ウエブを乾燥
（と）
するための乾燥システム
（ち）
であって、該乾燥システムは
（り）
紙ウエブに熱せられた乾燥空気
（ぬ）
を吹き付ける吹き出しノズル５０を含む吹き出しボックス９０
（る）
を有し、熱せられた乾燥空気は、該吹き出しボックス９０に統合された吹き出しノズル５０に供給される、乾燥システムにおいて
（を）
吹き出しボックス９０は、当該吹き出しボックス９０に属する吸い込み誘導ローラー７６を、その周囲のおよそ四分の一だけ覆っている
（わ）
ウエブの途切れが起きた場合、くず紙は問題なく下方へ出て行くことができる乾燥システム
についての発明、すなわち、符号の番号などを省略して、
『抄紙機に適用される乾燥装置の乾燥グループの誘導ローラーの下側後方に配置され、該誘導ローラー（加熱可能な乾燥シリンダー）を走行する紙ウエブを乾燥するための乾燥システムであって、該乾燥システムは、紙ウエブに熱せられた乾燥空気を吹き付ける吹き出しノズルを含む吹き出しボックスを有し、熱せられた乾燥空気は、該吹き出しボックスに統合された吹き出しノズルに供給される、乾燥システムにおいて、吹き出しボックスは、当該吹き出しボックスに属する誘導ローラーを、その周囲のおよそ四分の一だけ覆っている、ウエブの途切れが起きた場合、くず紙は問題なく下方へ出て行くことができる乾燥システム。』についての発明（以下、「引用発明」という。）が記載されている。
　
６．対比・判断
（１）対比
　本願発明と引用発明とを対比する。
　引用発明の「抄紙機」及び「乾燥装置の乾燥グループ」は、本願発明の「ペーパーマシン若しくはその類」及び「乾燥部」に相当し、
　引用発明の「誘導ローラー（加熱可能な乾燥シリンダー）」及び「乾燥システム」は、摘記１ｂの「エアナイフ状の乾燥空気噴流」が「素材ウエブに突き当たった」との記載からみて、その「乾燥」は、熱せられた乾燥空気や加熱された乾燥シリンダーによる乾燥のみならず、乾燥空気噴流の素材ウエブへの衝突、すなわち、エアインピンジメントによっても行われていることから、本願発明の「エアインピンジメントロール」及び「エアインピンジメントシステム」に相当し、
　引用発明の「誘導ローラーの下側後方に配置され、該誘導ローラー（加熱可能な乾燥シリンダー）を走行する紙ウエブを乾燥するための乾燥システム」は、摘記１ｇの第３図に図示されるように、その符号７６の「誘導ローラー」の外側に「走行する紙ウエブ」と符号９１の枢軸に支持された「吹き出しボックス」が配置されており、当該「誘導ローラー」のまわりを当該「紙ウエブ」が走行し、そして、熱せられた乾燥空気や加熱可能な乾燥シリンダーによって当該「紙ウエブ」が「加熱及び乾燥」がなされることも明らかであるから、本願発明の「エアインピンジメントロールのジャケット部の外側に配置され、該エアインピンジメントロールまわりを走行するウェブを加熱及び乾燥するためのエアインピンジメントシステム」に相当し、
　引用発明の「紙ウエブに熱せられた乾燥空気を吹き付ける吹き出しノズルを含む吹き出しボックス」は、摘記１ｂの「吹き出し方向の厳密な選択…素材ウエブに供給される乾燥空気流を…個別に制御可能な分流に分けることにより、横断面の乾燥状態を…良好に制御」との記載からみて、当該「吹き出しボックス」に統合されている「吹き出しノズル」からの乾燥空気流は、素材ウエブに対して、その吹き出し方向を厳密に選択し、かつ、個別に制御可能な「制御手段」を備えているものと解され、当該「吹き出しノズル」が当該「吹き出しボックス」の閉鎖空間内に配置されていることも摘記１ｆの第２図に図示されるように明らかであるから、引用発明の「紙ウエブに熱せられた乾燥空気を吹き付ける吹き出しノズルを含む吹き出しボックス」は、本願発明の「紙ウェブ上にエアを方向付ける制御手段を含む閉じたフード」に相当し、
　引用発明の「熱せられた乾燥空気」は、本願発明の「エア」に相当し、
　引用発明の「吹き出しボックスは、当該吹き出しボックスに属する誘導ローラーを、その周囲のおよそ四分の一だけ覆っている」について、当該「吹き出しボックス」が「誘導ローラー」の周囲を覆っている領域が、本願発明の「エアインピンジメント領域」に相当し、当該「誘導ローラー」の周囲を覆っている領域は、当該「誘導ローラー」の下側半分の後尾側の約９０°の範囲のみであることは、摘記１ｆの第３図に図示されるように明らかであるから、引用発明の「吹き出しボックスは、当該吹き出しボックスに属する誘導ローラーを、その周囲のおよそ四分の一だけ覆っている」は、本願発明の「エアインピンジメントロール上のエアインピンジメント領域は、エアインピンジメントシステムの作用が、エアインピンジメントロールの後尾側で先頭側よりも大きく付加され、且つ、エアインピンジメントロールの下側の半分の領域で上側の半分の領域よりも大きく付加されるように、エアインピンジメントロールの下側且つ後尾側で設定される」に相当する。
　
　してみると、本願発明と引用発明とは、『ペーパーマシン若しくはその類の乾燥部におけるエアインピンジメントロールのジャケット部の外側に配置され、該エアインピンジメントロールまわりを走行するウェブを加熱及び乾燥するためのエアインピンジメントシステムであって、該エアインピンジメントシステムは、紙ウェブ上にエアを方向付ける制御手段を含む閉じたフードを含む、エアインピンジメントシステムにおいて、エアインピンジメントロール上のエアインピンジメント領域は、エアインピンジメントシステムの作用が、エアインピンジメントロールの後尾側で先頭側よりも大きく付加され、且つ、エアインピンジメントロールの下側の半分の領域で上側の半分の領域よりも大きく付加されるように、エアインピンジメントロールの下側且つ後尾側で約１５０°の範囲で設定されることを特徴とする、エアインピンジメントシステム。』である点において一致し、
（α）エアが、本願発明においては「該フードから、少なくとも１つのファンによる吹き付けによって吹き付けノズルに方向付け」られているのに対し、引用発明においてはファンによって吹き付けノズルに方向付けられていることについて、規定していない点、
（β）エアが、本願発明においては「循環エアプロセスとして再度該フードに戻され」ているのに対して、引用発明においては「乾燥空気」が「循環エアプロセスとして再度該フードに戻され」ていない点、
（γ）フードが、本願発明においては「エアを加熱するための少なくとも１つの加熱装置を含む」のに対して、引用発明においては「熱せられた乾燥空気」とするための加熱装置の位置について規定していない点、
（δ）エアインピンジメント領域が、本願発明においては「約１５０°の範囲」で設定されているのに対して、引用発明においては「およそ四分の一」の範囲、即ち、「約９０°の範囲」である点、
の４つの点において一応相違する。
　
（２）判断
　上記（α）〜（δ）の相違点について検討する。
　
　（α）及び（γ）の相違点について、引用文献３には、「インピンジメント乾燥システム」に関する発明であって（摘記３ａ）、その第１図には、送風機５４と加熱器５６とをフード１６によって規定される空間５２に配置すること、及び、空気を送風機５４によって均質化チャンバー５８及び制御鎧戸６０を経て供給することが記載されているところ（摘記３ｂ〜３ｄ）、引用文献３に記載された「フード１６」、「送風機５４」、「加熱器５６」及び「制御鎧戸６０」は、本願発明の「ファン」、「エアを加熱するための加熱装置」及び「吹き付けノズル」に相当する。
　してみると、乾燥システムの技術分野において、フード（フード１６）から、ファン（送風機５４）による吹き付けによって吹き付けノズル（制御鎧戸６０）に方向付けること、及び、エア（空気）を加熱するための加熱装置（加熱器５６）をフード（フード１６）に設けることは、引用文献３に記載されるように知られているから、引用発明の乾燥空気（エア）を、ファンによる吹きつけによって吹き付けノズルに方向付ける構成にし、その加熱を行う加熱装置を吹き出しボックス９０（フード）の中に配置させる構成にすることは、当業者にとって適宜設計変更可能な程度のことでしかない。
　
　（β）の相違点について、引用文献２の「フードを吹き抜ける乾燥用ガスの循環装置」との記載（摘記２ａ）、及び引用文献３の「統合された空気循環を提供するインピンジメント乾燥システムでは、紙ウェブへの空気吹き出しの大部分は、フード内に設置された加熱手段によって加熱されるために、そし再度ウェブに向けて吹き出されるために、フードへの循環空気として返還される。」との記載（摘記３ａ）からみて、乾燥空気を循環エアプロセスとして再度該フードに戻すことは、乾燥システムの技術分野において普通に知られているいるものと認められる。
　してみると、引用発明の乾燥空気（エア）を、循環エアプロセスとして再度吹き出しボックス９０（フード）に戻す構成にすることは、当業者にとって適宜設計変更可能な程度のことでしかない。
　
　（δ）の相違点について、引用発明は、「ウエブの途切れが起きた場合、くず紙は問題なく下方へ出て行くことができる乾燥システム」に関するものであって、くず紙が問題なく下方へ出て行き、且つ、乾燥ができるということを課題としたものであるから、引用発明の吹き出しボックス９０が覆っている領域（インピンジメント領域）の範囲を、当該課題に照らして最適化することは、当業者にとって通常の創作能力の発揮の範囲内である。
　また、引用文献２には、その第１Ｃ図の具体例において、シリンダ６０Ａの上に通風フード６６を設けて、シリンダ６０Ａの上にウェブＷと乾燥用ワイヤ６２が順に積層した状態で、乾燥用空気ガスを吹き付けて、ワイヤ６２とウェブＷの乾燥をするに際して、その通風フード６６の扇形部の角度が大きいほど、水の蒸発が促進されることが記載されているところ（摘記２ｂ）、乾燥用空気ガスを吹きつけるためのフードの扇形部の角度、即ち、インピンジメント領域が大きければ大きいほど、その乾燥が促進されることは、当業者にとって容易に想到し得ることである。
　さらに、引用文献２の第１Ｃ図には、逆転サクションロール６１の周囲に配置されたブロー・フード８０Ａ及び８０Ｂ（必要ならば、引用文献２のパテントファミリーであって、本願優先権主張日前の１９９９年１２月２１日に頒布された刊行物である米国特許第６００３２４５号明細書の第１０欄第７〜１８行の「第１Ｃ図は、接触乾燥シリンダー６０Ａに続く、逆転サクションシリンダー６１の下方に設置されたブロー・フード８０Ａ及び８０Ｂを示す。…ブロー・フード８０Ａ及び８０Ｂの手段により、インピンジメント乾燥は、例えば、約６０°〜約１８０°の程度の、相当大きな扇形部の乾燥用ワイヤ６２の外周面の逆転サクションシリンダー６１にわたって走行するウェブＷに適用される。」旨の記載を参照されたい。）が図示されているところ、引用文献２の８０Ａ及び８０Ｂのエアインピンジメント領域は、８０Ａで約１２０°の範囲、８０Ｂで約９０°の範囲にあることが、その図１Ｃの図示から看取され（摘記２ｃ）、その約１２０°のブロー・フード８０Ａの角度は、そのエッジ８１の位置を約９０°の場合に比べてロールの下側且つ先頭側の領域に３０°程度にまで延設されていることが、その図示から看取される（摘記２ｃ）。
　同様に、引用文献３には、裁断紙が落ち去るのを確実にするための開放空間を確保するとともに、２つのフードを活用することによって１８０°以上の範囲でシリンダーをフードで取り囲む技術が記載されているところ（摘記３ｂ）、フードによるエアインピンジメント領域を、裁断紙が落ち去るための開放空間を確保しつつ、最大限に大きくすることは、当業者が普通に考慮すべき設計事項にすぎないことであり、引用文献３に記載されたフード１６の最上端部分１６’の位置は、ロールの上側且つ後尾側の領域に３０°程度にまで延設されていることが、その図示から看取される（摘記３ｃ）。
　そうしてみると、引用発明において、「くず紙が問題なく下方へ出て」行くことと、及び「乾燥できる」ということを、両立できるように、その「およそ四分の一」という範囲を、ロールの下側且つ先頭側の領域に３０°程度にまで延設し、且つロールの上側且つ後尾側の領域に３０°程度にまで延設し、合計６０°の範囲で拡大して、引用発明の吹き出しボックス９０が覆っている領域（インピンジメント領域）の広さを「約１５０°の範囲」に設定することは、当業者にとって通常の創作能力の発揮の範囲内である。
　
（３）本願発明の効果
　次に、本願発明の効果について検討する。
　ここで、審判請求人は、審判請求書の請求の理由において、「約１５０°の範囲で設定する技術的な意義は、本願の出願当初明細書の段落［００１９］に記載されるように、高い乾燥効率を維持しつつ、エアインピンジメントロールの先頭側で細断紙が自由に落下できるようにすることである。」と主張し、平成２２年１０月１３日付けの回答書において、「エアインピンジメント領域を約１５０°の範囲で設定することは、単に乾燥効率を得るためだけの理由ではなく、互いに背反する２つの要求、即ち、乾燥効率の向上という要求と、ロールの先頭側で裁断紙の自由な落下を可能とする要求とを最適に両立させるものであり、単なる当業者の設計事項とはいえないと考えます。」と主張している。
　しかしながら、引用発明は「ウエブの途切れが起きた場合、くず紙は問題なく下方へ出て行くことができる乾燥システム」に関するものであって、くず紙ないし裁断紙の問題に配慮した「乾燥」システムについての発明であるから、引用発明において、くず紙と乾燥の問題という二律背反の問題に配慮して引用発明の吹き出しボックス９０が覆っている領域（インピンジメント領域）の広さの最適化を図ることの効果は、当業者にとって格別予想外の効果であるとはいえない。
　また、本願明細書の発明の詳細な説明を参酌しても、当該エアインピンジメント領域の範囲を約１５０°に設定することに格別の臨界的な効果があることを裏付ける比較実験データなどは見当たらないので、本願発明に格別予想外の臨界的な効果があるとは認められない。
　
（４）まとめ
　以上総括するに、本願発明は、本願優先権主張日前に頒布された刊行物である引用文献１〜３に記載された発明に基づいて、当業者が容易に発明をすることができたものであるから、特許法第２９条第２項の規定により、特許を受けることができない。
　
７．むすび
　したがって、本願発明は、特許法第２９条第２項の規定により、特許を受けることができないものであるから、その余の請求項に係る発明について検討するまでもなく、本願は拒絶すべきものである。
　よって、結論のとおり審決する。